(57)【特許請求の範囲】
【請求項１】
自転車等の二輪車の前車輪またはホークに固定して使用するそりおよびホークと一体となっているそりにおいて、断面形状が底辺の短い台形で、前端が上部に反り中央部からは平らなそりの底部に、前方から見た断面が凹の字を逆さにしたような形で前端から中央部にかけて徐々に幅が狭くなり中央部から後端にかけては平行になるように二本の線状突起を設けたそりで、二本の線状突起が集めた雪をそり底面が圧縮して、走行に伴い連続的に固い軌跡を発生して後車輪が雪にもぐるのを緩和し、自転車等の雪上走行を可能にするそり。
【発明の詳細な説明】
【技術分野】
【０００１】    本発明は、自転車等の付属装置としての、遊具に関する。
【背景技術】
【０００２】  雪が積もると、自転車等の二輪車（自転車・オートバイ・スクーター）は、車輪が雪にもぐってしまうために、ハンドルを取られたり走行抵抗が駆動力より大きくなって走行が困難であった。特願２００３−１７１３８９の発明により、前車輪は雪にもぐることがなくなり、走行抵抗が半減したほかハンドルを取られることもなく、後車輪のもぐる量も改善された。しかし、そりの幅が広いと軌跡の踏み固めが不十分で、新雪では後車輪がもぐってしまい立ち往生した。そりの幅が狭いと、前車輪部に充分な浮力が得られず、ハンドルを取られる現象がしばしば発生して走行が困難であった。以上のとおり、従来のそりでは新雪等に対応できなかった。
【特許文献１】特願２００３−１７１３８９
【発明の開示】
【発明が解決しようとする課題】
【０００３】  自転車等の前車輪が雪にもぐるのを防ぐため、充分な接地面積を有するそりが用いられる。このそりは、新雪等の密度の低い雪ではそりの幅が広いと踏み固めが不十分で軌跡の固さが不足し、自転車等の後車輪がもぐってしまい立ち往生する。そりの幅が狭いと、前車輪部に充分な浮力が得られず、操縦が困難である。そこで、新雪等でも十分な浮力が得られ、なおかつ、固い軌跡の得られる自転車等の雪上走行用そりを検討した。
【課題を解決するための手段】
【０００４】  自転車等の前車輪が雪にもぐるのを防ぐため、充分な接地面積を有するそりを用いる。このそりは、断面形状が底辺の短い台形で、前端が上部に反り中央部からは平らなそりで、底部に前方から見た断面が凹の字を逆さにしたような形で前端から中央部にかけて徐々に幅が狭くなり中央部から後端にかけては平行になるように二本の線状突起（以後キールと呼ぶ）を設けている。このキールは横滑りを防止し、直進性を保ち進行方向の制御を行うほか、雪を集めて底辺の短い台形の固い軌跡を発生する。そりの前端は上に反っており、密度が高く固い雪では前端が浮いてキール間の有効幅が底部と変わらなくなり、雪を集める作用は弱まる。雪の密度が下がるとそりは沈み、キール間の有効幅が広がって充分な固さの軌跡が出来る量の雪を集める。二本のキールが集めた雪をそり底面が圧縮して底辺の短い台形の固い軌跡を発生することにより、後車輪は軌跡を外れることが少なく雪にもぐる量が緩和されて、自転車等の雪上走行を可能にする。これら一連の動作は自転車等の走行に伴って連続的に行われ、自転車等があらゆる雪上で走行可能となる。
【発明の効果】
【０００５】  自転車等は新雪の上を自由に走行することが可能となる。このため、自転車等の活動範囲が広がり積雪時の児童等の通学に便をなすほか、行動半径が広がる。また、ウインタースポーツに新しい分野を拓くことにもなる。
【発明を実施するための最良の形態】
【０００６】  発明の実施の形態について図面を参照して説明する。
【実施例１】
【０００７】  図１平面図において、そり（１）は幅０．４ｍ程度、長さ０．５〜２ｍ程度で自転車等の車輪が雪にもぐることのない充分な面積を持っている。そり底部には前端から後端かけて線状に突起する二本のキール（２）がある。キールの前端（Ａ側）は大きく左右に広がり、そり中央部にかけてキールの間隔は徐々に狭まり、中央部から後端にかけて平行になっている。このキールが適量の雪を集めて圧縮し、そりを浮上させるとともに固い軌跡を作りさらに進行方向を制御する重要な働きをする。そりの前進により新雪等の密度の低い雪は、キールの前幅から中央部以降のキール幅約０．１ｍ程度に集められ、更にそり前部の反りによって圧縮されて固まりそのままそり後部でならされる。そりを傾けると、雪にもぐった方のキールが効果を強めて傾けた方向に転回する。進行方向の制御は、そりを傾ける量によって行われる。そりには受け皿（３）が一体となっている。そりおよび受け皿の素材は炭素鋼、合金鋼、ステンレス鋼、アルミニウム、アルミニウム合金、マグネシウム合金、皮革、木材、竹、紙、合成樹脂、ガラス繊維・ケブラー・炭素繊維強化プラスチックおよびこれらの複合品とする。図２は、図１をＢ側（側方）から見た断面図である。そりの前端は上に反っており、進行方向に対して浮力を発生する。また、重力により全体で雪を押し固める。後端は斜めに上がって後進時の抵抗を緩和する。キール前半は雪を掻き集めてそりの浮上と固い軌跡を作るのに必要な雪をそり底部に導くと共に、傾きによってそりの進行方向を転回させる働きをする。後半は固めた雪をならしそりの横滑りを防ぎ進行方向を安定させる働きをする。そりには受け皿が一体となっており、自転車等の前車輪に装着できるようになっている。受け皿は自転車等の前車輪と３箇所以上接し、２箇所以上をバックルまたはベルト（４）で固定してハンドルの向きをそりに伝える。図３は、図１をＡ側（前方）から見たものである。そりの底面左右に二本のキールが張出ており、これが雪を集めて固める作用と進行方向を制御する重要な働きをする。キールの高さは先端付近で０．０５ｍ程度、最大で０．１ｍ程度、底部では０．０１ｍ程度で装着する自転車等の用途により適当な高さに設定する。図４は、図１をＢの位置で前方から見た断面図である。受け皿の断面形状は、この図では凹形であるが、Ｖ字形・半円形・半亀甲形及びその変形とする。そりの側面の角度は、中央部では垂直に近く後端ではＶ字形になっており、軌跡側面を押し固める作用をして後車輪が軌跡から外れるのを防ぐ働きをする。
【実施例２】
【０００８】  発明の実施の形態について実施例１と同様に図面を参照して説明する。
図５側面図は、ブラケット（５）で自転車等のホーク（６）にそりを固定した例である。ホークとそりを一体としても良いし、前車輪を外して前車軸（７）に直接装着することもできる。頻繁に着脱することが少ない積雪期間の長い地域で実施する。その効果は実施例１と同様である。
【図面の簡単な説明】
【０００９】
【図１】自転車等の雪上走行用そりの平面図である。そり（１）は幅０．４ｍ程度、長さ０．５〜２ｍ程度で自転車等の車輪が雪にもぐることのない充分な面積を持っている。そり底部には前端から後端かけて線状に突起する二本のキール（２）がある。キールの前端（Ａ側）は大きく左右に広がり、そり中央部にかけてキールの間隔は徐々に狭まり、中央部から後端にかけて平行になっている。このキールが適量の雪を集め、圧縮してそりの浮上と固い軌跡を作りさらに進行方向を制御する重要な働きをする。そりには受け皿（３）が一体となっており、自転車等の前車輪に装着できるようになっている。バックルまたはベルト（４）で前車輪と固定する。
【図２】図１をＢ側（側方）から見た断面図である。そり（１）の前端は上に反っており、進行方向に対して浮力を発生する。受け皿（３）は自転車等の前車輪に装着して固定する台で前車輪と３箇所以上接し、２箇所以上をバックルまたはベルト（４）で固定してハンドルの向きをそりに伝える。
【図３】図１をＡ側（前方）から見たものである。そりの底面左右に二本のキール（２）が出ており、これが雪を集めて固める作用と進行方向を制御する重要な働きをする。キールの高さは先端付近で０．０５ｍ程度、最大で０．１ｍ程度、底部では０．０１ｍ程度で装着する自転車等の用途により適当な高さに設定する。
【図４】図１をＢの位置で前方から見た断面図である。受け皿（３）の断面形状は、この図では凹形であるが、Ｖ字形・半円形・半亀甲形及びその変形とする。そりの側面の角度は、Ｖ字形になっており、軌跡側面を押し固める作用をする。軌跡側面を圧蜜することにより、後車輪が軌跡を逸脱して柔らかい雪にはまるのを防ぐ。
【図５】そり（１）をブラケット（５）で自転車等のホークに（６）固定した実施例２の側面図である。このほか、前車輪を外して前車軸（７）に直接装着することも可能である。
【符号の説明】
【００１０】  １そり
２キール
３受け皿
４バックルまたはベルト
５ブラケット
６ホーク
７前車軸
【図１】
0004427726.tif 000002
【図２】
0004427726.tif 000003
【図３】
0004427726.tif 000004
【図４】
0004427726.tif 000005
【図５】
0004427726.tif 000006